(57)【要約】【課題】  映像ＩＦ信号の入力レベルの制御に手間を掛けることなく、振幅変調された放送電波から純度の高い映像搬送波を得られるようにする。【解決手段】  オフセットビートキャンセラを構成し、映像ＩＦ信号から搬送波成分を抽出する搬送波抽出部７７ａは、入力信号を増幅する増幅回路９１を備え、この増幅回路９１における出力を接地する一対のダイオード９２ａ、ｂに対して、増幅回路９１からの出力信号の振幅の揺らぎを制限するためのコンデンサ９３を、直列接続して構成されている。したがって、一対のダイオード９２ａ、ｂに直列接続されたコンデンサ９３により、増幅回路９１からの出力信号の振幅の揺らぎを制限することができ、搬送波抽出精度を改善することができる。また、オフセットビートキャンセラは、良好に妨害波成分を除去することができる。【選択図】  図５
2005229286.tif 000002
【特許請求の範囲】
【請求項１】
搬送波を振幅変調した入力信号を増幅する増幅回路を備え、該増幅回路の出力を、互いに逆方向に並列接続された一対のダイオードを介して接地することにより、前記増幅回路からの出力信号の振幅を制限して、前記入力信号の搬送波成分を抽出する搬送波抽出装置であって、
前記増幅回路の出力を接地する一対のダイオードに対して、前記出力信号の振幅の揺らぎを制限するためのコンデンサを、直列接続したことを特徴とする搬送波抽出装置。
【請求項２】
前記コンデンサの静電容量は、テレビの映像中間周波信号から映像搬送波を抽出するために、５００ｐＦ〜２０００ｐＦの範囲内に設定されていることを特徴とする請求項１に記載の搬送波抽出装置。
【請求項３】
前記コンデンサの静電容量は、７５０ｐＦ〜１１００ｐＦの範囲内に設定されていることを特徴とする請求項２に記載の搬送波抽出装置。
【請求項４】
受信アンテナから入力される受信信号の中から、希望波に対して送信周波数が所定周波数オフセットされた妨害波を含む所定放送チャンネルのテレビ放送信号を選局して、該テレビ放送信号の映像中間周波信号および音声中間周波信号を出力する選局手段と、
該選局手段から出力される映像中間周波信号から映像搬送波を再生し、該映像搬送波および前記映像中間周波信号を同相で混合したＩ信号と、前記映像搬送波および前記映像中間周波信号を位相差９０度で混合したＱ信号とを生成する直交検波手段と、
前記Ｑ信号から前記Ｉ信号に含まれる妨害波信号成分を生成し、該生成した妨害波信号成分を前記Ｉ信号から除去した映像信号若しくは映像中間周波信号を生成する映像信号処理手段と、
該映像信号処理手段にて生成された映像信号若しくは映像中間周波信号、および選局手段から出力される音声中間周波信号に基づき、所定放送チャンネルのテレビ放送信号を生成するテレビ放送信号生成手段と、
を備え、該生成されたテレビ放送信号を受信信号として出力するオフセットビートキャンセラにおいて、
前記直交検波手段は、
前記映像中間周波信号から映像搬送波成分を抽出する映像搬送波抽出部と、
該映像搬送波抽出部からの出力に同期した映像搬送波を生成する位相同期部と、
該位相同期部にて生成された映像搬送波、および前記映像中間周波信号を同相で混合することによりＩ信号を生成する第１検波部と、
前記位相同期部にて生成された映像搬送波、および前記映像中間周波信号を位相差９０度で混合することによりＱ信号を生成する第２検波部と、
を備え、
前記映像搬送波抽出部として、請求項１〜請求項３の何れかに記載の搬送波抽出装置を搭載したこと
を特徴とするオフセットビートキャンセラ。
【発明の詳細な説明】
【技術分野】
【０００１】
本発明は、搬送波を振幅変調した入力信号から搬送波成分を抽出する搬送波抽出装置、およびテレビ放送信号から妨害波を除去するオフセットビートキャンセラに関する。
【背景技術】
【０００２】
従来より、近接する地域で同一の放送チャンネルを利用したテレビ放送を行う際には、各テレビ放送信号の送信周波数に±１０．０１ｋＨｚのオフセットを設けて、テレビ受像器で映像信号を再生した際に画面に現れる縞模様（ビート）を目立たなくするようにしている。しかし、妨害波の量が多ければビートも顕著に現れることになり、その一方で、聴視者からはよりよい画質の要求がある。
【０００３】
そこで、近年では、こうしたビート障害を防止するために、ビート障害が発生する放送チャンネルのテレビ放送信号を所定周波数帯に周波数変換した映像中間周波信号（以下、映像ＩＦ信号ともいう）から、希望波の映像搬送波を再生し、この映像搬送波を用いて映像ＩＦ信号を直交検波することにより、妨害波信号成分を含むＱ信号を生成し、更に、アナログフィルタを用いて、その生成したＱ信号から妨害波信号成分を生成して、この妨害波信号成分を映像ＩＦ信号から除去するオフセットビートキャンセラが提案されている（例えば、特許文献１、特許文献２参照）。
【特許文献１】特開平８−９８０６１号公報
【特許文献２】特開平９−５５６７１号公報
【発明の開示】
【発明が解決しようとする課題】
【０００４】
ところで、上記オフセットビートキャンセラにおいて、妨害波信号成分を除去するためには、希望波の正確な映像搬送波を再生する必要があり、また、希望波の正確な映像搬送波を再生するためには、オフセットビートキャンセラを構成する搬送波抽出装置を用いて希望波の映像搬送波成分を正確に抽出する必要がある。
【０００５】
このために、搬送波抽出装置においては、まず、映像ＩＦ信号を増幅し、この増幅された映像ＩＦ信号が出力される出力経路を、互いに逆方向に並列接続された一対のダイオードを介して接地している。このようにすると、増幅された映像ＩＦ信号の振幅が一定電圧（例えば±０．６Ｖ）よりも大きくなった場合には、ダイオードの順方向特性により、ダイオードに電流が流れるため、理論上、映像ＩＦ信号の振幅変調成分が除去され、振幅が一定になった映像搬送波成分が抽出される。
【０００６】
しかしながら実際には、この搬送波抽出装置を用いても、ある程度振幅変調成分を除去することはできるが、映像ＩＦ信号の入力レベルにより、振幅変調成分が残ってしまうことがあり、この場合、純度の高い映像搬送波が得られず、上記オフセットビートキャンセラにおいては、妨害波信号成分を除去し難くなるという問題点があった。
【０００７】
また、上記オフセットビートキャンセラを用いて確実に妨害波信号成分を除去するためには、映像ＩＦ信号の入力レベルを、常に正確な映像搬送波が得られるレベルに設定する必要があるため、その制御に手間が掛かってしまう。
【０００８】
そこで、このような問題点を鑑み、映像ＩＦ信号の入力レベルの制御に手間を掛けることなく、振幅変調された放送電波から純度の高い映像搬送波を得られるようにすることを本発明の目的とする。
【課題を解決するための手段】
【０００９】
かかる目的を達成するために成された請求項１に記載の搬送波抽出装置は、搬送波を振幅変調した入力信号を増幅する増幅回路を備え、この増幅回路の出力を接地する一対のダイオードに対して、増幅回路からの出力信号の振幅の揺らぎを制限するためのコンデンサを、直列接続して構成されている。
【００１０】
つまり、増幅回路の出力を一対のダイオードを介して接地するのみでは、増幅回路からの出力信号の振幅の揺らぎ（つまり振幅変調成分）を完全に除去できず、正確な搬送波成分を抽出できない虞があるため、本発明（請求項１）では、増幅回路からの出力信号の振幅の揺らぎを制限するためのコンデンサを、一対のダイオードに直列接続しているのである。
【００１１】
したがって、このような搬送波抽出装置（請求項１）であれば、一対のダイオードに直列接続されたコンデンサが、増幅回路からの出力信号の振幅の揺らぎを制限するので、搬送波抽出精度を改善することができる。
【００１２】
また、請求項１に記載の搬送波抽出装置が、テレビの映像中間周波信号から映像搬送波を抽出する場合において、コンデンサの静電容量は、請求項２に記載のように、５００ｐＦ〜２０００ｐＦの範囲内に設定されていることが好ましい。
【００１３】
このような搬送波抽出装置（請求項２）であれば、後述する実験結果より、確実に搬送波抽出の精度を改善することができる。
さらに、請求項２に記載の搬送波抽出装置において、コンデンサの静電容量は、請求項３に記載のように、特に７５０ｐＦ〜１１００ｐＦの範囲内に設定されていることが望ましい。
【００１４】
このような搬送波抽出装置（請求項３）であれば、後述する実験結果より、より広い範囲の入力信号レベルに対応した良好な搬送波成分が抽出できることが読み取れるので、入力レベルの調整が容易になり、安定した搬送波抽出を行うことができる。
【００１５】
次に、請求項４に記載のオフセットビートキャンセラにおいては、映像中間周波信号から映像搬送波成分を抽出する映像搬送波抽出部として、請求項１〜請求項３の何れかに記載の搬送波抽出装置を搭載したことを特徴としている。
【００１６】
このようなオフセットビートキャンセラ（請求項４）であれば、請求項１〜請求項３の何れかに記載の搬送波抽出装置により、良好な映像搬送波成分を抽出できるので、希望波放送信号を良好に生成することができる。
【発明を実施するための最良の形態】
【００１７】
以下に本発明の実施形態を図面と共に説明する。
図１は本発明が適用された第１実施例のテレビ放送受信システム全体の構成を表わす概略構成図である。なお、本実施例のテレビ放送受信システムは日本国内用のものであり、以下に説明するＶＨＦ帯およびＵＨＦ帯のテレビ放送は、帯域幅が６ＭＨｚのＮＴＳＣ方式で行われるものとする。
【００１８】
図１に示す如く、本実施例のテレビ放送受信システムは、屋外に設置したアンテナからの受信信号を伝送線を介して建造物内の各部屋に伝送する共同受信システムであり、テレビ放送受信用の受信アンテナとして、地上局から送信されたＶＨＦ帯およびＵＨＦ帯の放送電波をそれぞれ受信するＶＨＦアンテナ２およびＵＨＦアンテナ４と、放送衛星（ＢＳ）や通信衛星（ＣＳ）からの送信電波を受信するＢＳ／ＣＳアンテナ６とを備える。
【００１９】
なお、ＢＳ／ＣＳアンテナ６は、反射鏡６ａと、支持腕を介して反射鏡６ａの焦点位置に配置された受信部６ｂとからなり、受信部６ｂに内蔵されたコンバータによって、受信信号をＢＳ／ＣＳ−ＩＦ信号に周波数変換（ダウンコンバート）して出力する。
【００２０】
そして、これら各受信アンテナ２〜６からの受信信号（ＶＨＦ受信信号、ＵＨＦ受信信号、ＢＳ／ＣＳ−ＩＦ信号）は、それぞれ、同軸ケーブルからなる伝送線を介して、ブースタ（増幅器）８まで伝送され、このブースタ８にて所定レベルまで増幅される。また、ブースタ８にて増幅された各受信信号（ＶＨＦ受信信号、ＵＨＦ受信信号、ＢＳ／ＣＳ−ＩＦ信号）は、ブースタ８内で混合されて、後段のオフセットビートキャンセラ２０に入力され、このオフセットビートキャンセラ２０から端末側の伝送線上に出力される。
【００２１】
また、端末側の伝送線には、分配器１０が接続されており、オフセットビートキャンセラ２０から出力された受信信号は、分配器１０にて複数系統（図では４系統）に分配され、更に、その分配された各系統の伝送線上に直列に接続された複数の直列ユニット１２を介して、各直列ユニット１２が設置された各部屋の受信端末まで伝送される。
【００２２】
次に、このオフセットビートキャンセラ２０の構成を図２を用いて詳しく説明する。
図２に示すように、オフセットビートキャンセラ２０は、ブースタ８から出力された受信信号を伝送線（同軸ケーブル）を介して入力するための入力端子Ｔｉｎと、受信信号を出力するための出力端子Ｔｏｕｔとを備える。
【００２３】
そして、入力端子Ｔｉｎに入力された受信信号の内、ＢＳ／ＣＳ−ＩＦ信号は、この信号のみを選択的に通過させるハイパスフィルタ（以下、ハイパスフィルタをＨＰＦと記載する）２４を介して内部に取り込まれ、ビートキャンセラ２０内に形成されたＢＳ／ＣＳ−ＩＦ信号用の通過経路、および、出力端子Ｔｏｕｔ側に設けられたＨＰＦ２６を介して、出力端子Ｔｏｕｔまで伝送されて、出力端子Ｔｏｕｔから端末側に出力される。
【００２４】
また、入力端子Ｔｉｎに入力された受信信号の内、ＶＨＦ受信信号およびＵＨＦ受信信号は、ＶＨＦおよびＵＨＦ帯の受信信号のみを選択的に通過させるローパスフィルタ（以下、ローパスフィルタをＬＰＦと記載する）２２を介して内部に取り込まれ、分配回路２８にて２分配される。そして、この分配回路２８にて分配された一方の受信信号（ＶＨＦ・ＵＨＦ信号）は、ビートキャンセラ２０内に形成されたＶＨＦ・ＵＨＦ信号用の通過経路を介して、出力端子Ｔｏｕｔ側の混合回路４２まで伝送される。
【００２５】
一方、分配回路２８にて分配された他方の受信信号は、ＵＨＦ選局部３０（本発明でいう選局手段）に入力される。このＵＨＦ選局部３０は、制御部５０から選局チャンネル制御信号によって指定されたＵＨＦ帯で所定放送チャンネルのテレビ放送信号を選局して、映像搬送波が所定周波数（例えば、５８．７５ＭＨｚ）となる映像中間周波信号（映像ＩＦ信号）と、音声搬送波がＮＴＳＣ方式で規定された所定周波数（５．７５ＭＨｚ）となる音声中間周波信号（音声ＩＦ信号）とを出力する。なお、このＵＨＦ選局部３０は、本発明の選局手段に相当する。
【００２６】
そして、ＵＨＦ選局部３０から出力された映像ＩＦ信号は、直交検波部３２（本発明でいう直交検波手段）に入力され、この直交検波部３２にて、映像ＩＦ信号に含まれる映像搬送波を用いて直交検波される。また、この直交検波部３２で直交検波されたＩ信号とＱ信号とは、それぞれ、ビートキャンセル用のデジタル処理部３４（本発明でいう映像信号処理手段）に入力され、デジタル処理部３４にて、妨害波信号成分を除去したベースバンドの映像信号に変換される。
【００２７】
そして、この映像信号と、ＵＨＦ選局部３０から出力された音声ＩＦ信号とは、それぞれ、ＵＨＦ変調部３６（本発明でいうテレビ放送信号生成手段）に入力され、このＵＨＦ変調部３６にて、制御部５０から出力チャンネル制御信号によって指定された所定放送チャンネル（出力チャンネル）のＵＨＦ帯のテレビ放送信号に変換される。なお、このＵＨＦ変調部３６は、本発明のテレビ放送信号生成手段に相当する。
【００２８】
次に、このＵＨＦ変調部３６にて生成されたテレビ放送信号は、ＵＨＦ帯のテレビ放送信号のみを選択的に通過させるバンドパスフィルタ（以下、バンドパスフィルタをＢＰＦと記載する）３８を介して、ゲインコントロール（ＧＣ）用のボリュームＶＲを備えた増幅部４０に入力され、この増幅部４０にて所定レベルまで増幅された後、混合回路４２に入力される。
【００２９】
この結果、混合回路４２では、ＶＨＦ・ＵＨＦ信号用の通過経路を通過したＶＨＦ・ＵＨＦ信号とＵＨＦ変調部３６で生成された所定出力チャンネルのテレビ放送信号とが混合されることになる。
【００３０】
そして、この混合回路４２にて混合されたＶＨＦ・ＵＨＦ信号は、増幅回路４４にて所定レベルまで更に増幅された後、ＶＨＦおよびＵＨＦ帯の受信信号のみを選択的に通過させるＬＰＦ４６を介して、出力端子Ｔｏｕｔまで伝送され、出力端子Ｔｏｕｔから、ＢＳ／ＣＳ−ＩＦ信号と一緒に端末側に出力される。
【００３１】
ここで、デジタル処理部３４と直交検波部３２とは、本発明の映像信号処理手段に相当するものであり、本実施例では、デジタル処理部３４において、Ｑ信号をデジタル処理することにより、Ｉ信号に含まれる妨害波信号成分を生成し、Ｉ信号からこの妨害波信号成分を除去する。
【００３２】
つまり、映像ＩＦ信号に含まれる希望波映像信号をＡ（ｔ）、その搬送波（映像搬送波）をｃｏｓ（ωｔ）とし、妨害波映像信号をＢ（ｔ）、その搬送波（映像搬送波）をｃｏｓ｛（ω＋δ）ｔ＋Φ｝とした場合、映像ＩＦ信号は、
映像ＩＦ信号＝Ａ（ｔ）ｃｏｓ（ωｔ）
＋Ｂ（ｔ）ｃｏｓ｛（ω＋δ）ｔ＋Φ｝
と記述でき、直交検波後のＩ信号およびＱ信号は、それぞれ、
Ｉ信号＝Ａ（ｔ）＋Ｂ（ｔ）ｃｏｓ（δｔ＋Φ）
Ｑ信号＝Ｂ（ｔ）ｓｉｎ（δｔ＋Φ）
となることから、デジタル処理部３４では、Ｑ信号をデジタル処理することにより、Ｉ信号に含まれる妨害波信号成分である「Ｂ（ｔ）ｃｏｓ（δｔ＋Φ）」を生成し、この妨害波信号成分をＩ信号から除去するのである。
【００３３】
具体的には、再生したテレビ画像からビートを除去するには、映像信号の低域成分（周波数：０〜数十ｋＨｚ）に関して妨害波信号成分を除去できれば充分であることから、デジタル処理部３４では、図３に示すように、まず、Ｑ信号をＡ／Ｄ変換部６０を介してデジタルデータとして取り込み、その取り込んだＱ信号を、ＬＰＦとして機能するフィルタ部６２にてフィルタ処理することにより、Ｑ信号の低域成分のみを抽出し、ビート成分生成部６４にて、その抽出したＱ信号の低域成分から、上記妨害波信号成分「Ｂ（ｔ）ｃｏｓ（δｔ＋Φ）」を生成する。
【００３４】
また、デジタル処理部３４では、Ｉ信号をＡ／Ｄ変換部６１を介してデジタルデータとして取り込み、その取り込んだＩ信号を、ＬＰＦとして機能するフィルタ部６３と、ＨＰＦとして機能するフィルタ部６７とを用いて、Ｉ信号の低域成分と高域成分とに分離する。
【００３５】
そして、ビート成分生成部６４から出力される妨害波信号成分は、ビート成分生成部６４の処理動作によって、各フィルタ部６３、６７を通過したＩ信号の低域成分および高域成分よりも遅れることから、フィルタ部６３、６７を通過したＩ信号の低域成分および高域成分を、ビート成分生成部６４で生成された妨害波信号成分と同期させるために、Ｉ信号の低域成分および高域成分を、それぞれ、遅延処理部６５、６８で遅延処理する。
【００３６】
そして、最後に、減算処理部６６にて、遅延処理後のＩ信号の低域成分からビート成分生成部６４で生成された妨害波信号成分を減算する減算処理を行い、更に、その減算処理後のＩ信号の低域成分と遅延処理後のＩ信号の高域成分とを加算処理部６９にて加算処理することにより、妨害波信号成分を除去した映像信号（詳しくは映像データ）を生成し、これをＤ／Ａ変換部６９ａにてアナログの映像信号に変換した後、ＢＰＦ３８に出力する。
【００３７】
したがって、デジタル処理部３４からは、オフセットビート障害の原因となる妨害波信号成分を除去した映像信号が出力されることになり、しかも、デジタル処理部３４では、直交検波後のＩ信号およびＱ信号を一旦デジタルデータに変換してデジタル処理することにより、妨害波信号成分を除去した映像信号を生成することから、周囲温度の影響を受けることなく、妨害波信号成分を除去した映像信号を安定して生成することができる。
【００３８】
次に、オフセットビートキャンセラ２０には、図２に示すように、ＵＨＦ変調部３６が生成するテレビ放送信号の放送チャンネル（出力チャンネル）を外部操作によって設定できるようにするために、出力チャンネル設定部４８が設けられている。
【００３９】
そして、制御部５０は、マイクロコンピュータにて構成されており、この出力チャンネル設定部４８から入力される出力チャンネルの設定指令に従い、ＵＨＦ変調部３６がテレビ放送信号を生成する際の放送チャンネル（出力チャンネル）を制御する。
【００４０】
また、ＵＨＦ選局部３０の選局チャンネルは、予めＥＥＰＲＯＭ５２に記憶されており、制御部５０は、ＵＨＦ選局部３０の選局チャンネルを、このＥＥＰＲＯＭ５２に記憶された選局チャンネルに固定する。
【００４１】
なお、オフセットビートキャンセラ２０には、図示しないＤＣアダプタ等から例えば直流１５Ｖの直流電源を供給するための電源入力端子Ｔｄｃが設けられており、上述した各内部回路には、この電源入力端子Ｔｄｃに供給された直流電源から上述した内部回路を動作させるための各種電源電圧を生成する電源部５６を介して、動作用の電源電圧を供給するようにされている。
【００４２】
ところで、本実施例のオフセットビートキャンセラ２０においては、デジタル処理部３４にて、直交検波部３２で得られたＱ信号をデジタル処理することによって、映像信号に含まれる妨害波信号成分を生成し、これをＩ信号から除去するようにしているので、妨害波信号成分を、アナログフィルタを用いて生成する従来のオフセットビートキャンセラに比べて、周囲温度の影響を受けることなく妨害波信号成分を除去することができるようになるのであるが、直交検波部３２で映像ＩＦ信号を直交検波する際に用いられる搬送波の映像ＩＦ信号に対する位相が正規の位相からずれてしまうと、映像ＩＦ信号の直交検波を正確に行うことができず、最終的には、妨害波信号成分の除去特性が低下してしまうという問題がある。
【００４３】
そこで、本実施例のオフセットビートキャンセラ２０においては、直交検波部３２を図４に示す如く構成し、映像ＩＦ信号の直交検波を常時最適に実行できるようにしている。
即ち、図４に示すように、本実施例の直交検波部３２は、ＵＨＦ選局部３０から出力された映像ＩＦ信号を２分配する分配回路７０と、この分配回路７０にて分配された一方の映像ＩＦ信号を増幅する増幅回路７１と、増幅回路７１により増幅された映像ＩＦ信号を更に２分配する分配回路７２と、この分配回路７２にて分配された一方の映像ＩＦ信号の位相を９０度（π／２）移相させる移相器７４と、分配回路７２にて分配された他方の映像ＩＦ信号を移相器７４の動作時間分遅延させる遅延線７３と、遅延線７３および移相器７４をそれぞれ通過した映像ＩＦ信号と後述の位相同期部７７ｂで再生された映像搬送波とをそれぞれ混合することにより一対のミキサ７５および７６（本発明でいう第１検波部および第２検波部）と、を備える。
【００４４】
また、直交検波部３２には、初段の分配回路７０にて分配された他方の映像ＩＦ信号から、信号レベル（振幅）を増幅して揃え（制限し）、振幅変調（ＡＭ）成分を除去した搬送波成分を抽出する搬送波抽出部７７ａ（本発明でいう映像搬送波抽出部および搬送波抽出装置）と、搬送波抽出部７７ａから出力された搬送波成分と位相同期した正弦波を出力する位相同期部７７ｂと、この位相同期部７７ｂにて出力された映像搬送波を移相させる可変移相器７８と、この可変移相器７８を通過した映像搬送波を２分配して、上記各ミキサ７５、７６に出力する分配回路７９とが備えられている。
【００４５】
ここで、位相同期部７７ｂは、例えば、位相比較器、ループフィルタ、および電圧制御発信器からなる、公知のＰＬＬ（Ｐｈａｓｅ ｌｏｃｋｅｄ Ｌｏｏｐ）回路により構成されている。
【００４６】
また、ミキサ７５、７６は、遅延線７３および移相器７４をそれぞれ通過した映像ＩＦ信号と分配回路７９から入力される映像搬送波とをそれぞれ混合することにより、映像ＩＦ信号を直交検波するためのものである。つまり、ミキサ７５は、遅延線７３を通過した映像ＩＦ信号とこれと同相の映像搬送波とを混合することによりＩ信号を生成し、ミキサ７６は、移相器７４を通過した映像ＩＦ信号とこれよりも９０度（π／２）移相が進んだ映像搬送波とを混合することによりＱ信号を生成する。
【００４７】
そして、これら各ミキサ７５、７６にて生成された同期検波後のＩ信号およびＱ信号は、それぞれ、その信号成分を選択的に通過させるＬＰＦ８１、８２を介して、増幅回路８３、８４に入力され、増幅回路８３、８４にて所定レベルまで増幅された後、デジタル処理部３４に出力される。
【００４８】
また、本実施例の直交検波部３２には、増幅回路８４から出力されるＱ信号を取り込み、そのＱ信号の電圧（詳しくは平均電圧）が略零となるように、可変移相器７８における映像搬送波の移相量を制御することにより、各ミキサ７５、７６に入力される映像搬送波の位相を調整する位相調整部８０が設けられている。
【００４９】
この結果、本実施例の直交検波部３２では、この位相調整部８０の動作によって、ミキサ７５、７６に入力される映像ＩＦ信号と映像搬送波とが同相若しくは９０度の位相差となるように正確に制御されることになり、位相同期部７７ｂにて出力された映像搬送波を用いて映像ＩＦ信号を正確に直交検波できるようになる。
【００５０】
次に、搬送波抽出部７７ａの詳細について、図５を用いて説明する。図５（Ａ）には、搬送波抽出部７７ａを構成する具体的な回路構成を示す。
搬送波抽出部７７ａは、図５（Ａ）に示すように、２段に直列接続されたリミットアンプ９４からなり、各リミットアンプ９４は、入力信号を増幅して出力する増幅回路９１と、増幅回路９１の出力経路９５に接続された一対のダイオード９２ａ、ｂと、ダイオード９２ａ、ｂに接続されたコンデンサ９３とを備えている。なお、前段のリミットアンプ９４には、映像ＩＦ信号が入力され、後段のリミットアンプ９４には、前段のリミットアンプ９４からの出力がそのまま入力される。
【００５１】
また、各リミットアンプ９４を構成する一対のダイオード９２ａ、ｂは、互いに反対方向に向けて並列接続されており、各ダイオード９２ａ、ｂは、順方向に０．６〜０．７Ｖの電圧が印加された際に、急激に電流が流れる特性を備えている。
【００５２】
そして、コンデンサ９３は、並列接続されたダイオード９２ａ、ｂと直列に接続されており、ダイオード９２ａ、ｂが接続されていない端子は、接地することにより基準電位に固定されている。
【００５３】
次に、この搬送波抽出部７７ａ（つまり、前段のリミットアンプ９４）には、例えば、図６（Ａ）に示すような振幅変調された映像ＩＦ信号が入力される。ここで、図６における横軸には時間、縦軸には搬送波の周波数における電圧を示す。
【００５４】
そして次に、増幅回路９１により映像ＩＦ信号の最も振幅の小さな部分が０．７Ｖ以上になるよう増幅する。ここで、出力経路９５には、前述のように、互いに逆方向に向けて並列接続されたダイオード９２ａ、ｂと、コンデンサ９３とが直列接続されているので、図６（Ｂ）に示すように、ダイオード９２ａ、ｂの順方向特性に基づいて、振幅が規制された搬送波成分を抽出することができる。
【００５５】
ところで、搬送波抽出部７７ａにおいて、コンデンサ９３を備えず、並列接続されたダイオード９２ａ、ｂが直接接地されている場合には、映像ＩＦ信号の入力レベルによっては振幅の揺らぎ（振幅変調成分）を除去しきれずに、図６（Ｂ）における２点鎖線にて示すような波形となってしまう。搬送波抽出部７７ａからの出力波形がこのような波形になると、位相同期部７７ｂにて正確な搬送波を再生できなくなる虞があるため、リミットアンプ９４には振幅の揺らぎを除去するためのコンデンサ９３を備えるようにしているのである。
【００５６】
したがって、搬送波抽出部７７ａによれば、一対のダイオード９２ａ、ｂに直列接続されたコンデンサ９３により、増幅回路９１からの出力信号の振幅の揺らぎを制限し、搬送波抽出精度を改善することができる。
【００５７】
また、本実施形態の搬送波抽出部７７ａでは、２段階に直列接続されたリミットアンプ９４を採用しているので、より振幅の揺らぎを除去し易くすることができる。
さらに、偶数個のリミットアンプ９４を直列接続して、映像ＩＦ信号を増幅させるので、各増幅部９１の増幅動作によって、映像ＩＦ信号の位相が反転したとしても、搬送波抽出部７７ａからの出力を元の位相に戻すことができる。
【００５８】
また、オフセットビートキャンセラ２０は、上述の搬送波抽出部７７ａを搭載しているので、良好に妨害波成分を除去することができる。
〔実験例〕
次に、上述の効果を立証するための実験を行なったので、その詳細な実験例について以下に説明する。
【００５９】
本実験は、搬送波抽出部７７ａの性能を確認するために、図５（Ａ）に示す回路を用いて、ある一定の信号を入力した際の出力波形の揺らぎ（振幅変調成分）を計測したものである。
【００６０】
また、入力する信号の入力レベルを変化させながら、コンデンサ９３の静電容量を、５１０ｐＦ、７８０ｐＦ（３９０ｐＦを２個並列。以下、単に７８０ｐＦと記載する。）、１０００ｐＦ、２０００ｐＦ（１０００ｐＦを２個並列。以下、単に２０００ｐＦと記載する。）のものに交換しながら出力波形の揺らぎの計測を行った。さらに、比較例として、コンデンサ９３を配置しないものについても同様の計測を行なった。
【００６１】
そして、計測すべき出力波形の振幅変調成分は、図７に示すように、搬送波成分を中心とした帯域成分として現れる特性を有するため、本実験では、搬送波の周波数における出力電圧に対する、搬送波の周波数から一定周波数離れた周波数における出力電圧の電圧比（ｄＢ）（以下、振幅変調成分比という）を計測することとした。より具体的に、本実験では、図７に示すように、搬送波の周波数よりも１ｋＨｚ低い周波数を電圧測定周波数（測定波の周波数）に設定した。
【００６２】
ここで、本実験においては、測定波の電圧が搬送波成分の電圧に対してより小さければ、出力波形の揺らぎ（振幅変調成分）が小さく、良好に搬送波成分が抽出されていることを意味する。なお、図７においては、横軸に出力信号の周波数、縦軸にその周波数における出力電圧を示す。
【００６３】
このようにして行われた実験の結果を図８に示す。図８は本実験における実験結果を示すグラフである。
なお、実際の搬送波抽出部７７ａにおいては、入力レベルが９５ｄＢ近傍の映像ＩＦ信号を使用することが多いため、入力レベルが８９ｄＢ〜９９ｄＢの範囲では１ｄＢ毎に計測し、この範囲外の入力レベルに関しては大まかに計測した。
【００６４】
また、本実験は、以下に示す実験条件で実行した。
（１）入力搬送波周波数      …  ５８．７５ＭＨｚ
（２）信号波周波数          …  １ＫＨｚ正弦波
（３）増幅回路９１          …  電圧利得が１５ｄＢとなる公知の増幅回路を利用
（４）ダイオード９２ａ、ｂ  …  東芝製、ＩＳＳ３６２を使用
（５）コンデンサ９３        …
（５１０ｐ）  村田製、ＧＲＭ３９ＣＨ５１１Ｊ５０ＰＴを使用
（３９０ｐ）  村田製、ＧＲＭ３９ＣＨ３９１Ｊ５０ＰＴを使用
（１０００ｐ）村田製、ＧＲＭ３９Ｂ１０２Ｋ５０ＰＴを使用
図８に示すように、コンデンサ９３を設けないものは、入力レベルが８９ｄＢ〜９３ｄＢの範囲内のときの振幅変調成分比は、−３０ｄＢ前後を維持しているが、入力レベルが９４ｄＢ〜９９ｄＢの範囲内になると、−２６ｄＢ前後となる結果が得られた。
【００６５】
一方、コンデンサ９３を設けたものについては、計測した全てのコンデンサ９３（静電容量が５１０ｐＦ、７８０ｐＦ、１０００ｐＦ、２０００ｐＦのもの）について、入力レベルが９４ｄＢ〜９９ｄＢの範囲内において、コンデンサ９３を設けないものに比べて、搬送波抽出の精度がよくなった。
【００６６】
特に、コンデンサ９３の静電容量が７８０ｐＦおよび１０００ｐＦのものについては、入力レベルが８９ｄＢ〜９９ｄＢの範囲内において、−２８ｄＢ〜−３７ｄＢの範囲内を維持している。このため、コンデンサ９３の静電容量が７８０ｐＦ〜１０００ｐＦの範囲内に設定されていれば、コンデンサ９３を設けないものと比較して極めて精度のよい搬送波成分が抽出できるといえる。
【００６７】
なお、本実験においては、コンデンサ９３の静電容量が７８０ｐＦおよび１０００ｐＦのものについての測定を行い、特に良好な測定結果が得られたが、コンデンサ９３の静電容量が７５０ｐＦ〜１１００ｐＦの範囲内における任意の容量値であっても、同様に良好な実験結果が得られるものと思われる。
【００６８】
したがって、上述の実験結果より、搬送波抽出部７７ａを構成するコンデンサ９３の静電容量が５１０ｐＦ〜２０００ｐＦの範囲内に設定されていれば、コンデンサ９３が設けられていないものよりも、確実に搬送波成分抽出の精度を改善することができる。
【００６９】
また、コンデンサ９３の静電容量が、特に７５０ｐＦ〜１１００ｐＦの範囲内に設定されていれば、より広い範囲の入力信号レベルに対応することができるので、入力レベルの調整が容易になり、安定した搬送波成分抽出を行うことができる。
【００７０】
さらに、コンデンサ９３を設けないもの、コンデンサ９３の静電容量が５１０ｐＦおよび２０００ｐＦのものについては、入力レベルが９３ｄＢ〜９４ｄＢの範囲内で、大きく振幅変調成分比が変化する傾向が見られるが、コンデンサ９３の静電容量が７８０ｐＦおよび１０００ｐＦのものについては、そのような傾向は見られない。したがって、コンデンサ９３の静電容量が７８０ｐＦ〜１０００ｐＦの範囲内であれば、映像ＩＦ信号の入力レベルが変化しても、安定して搬送波成分を抽出することができ、位相同期部７７ｂから出力される搬送波も安定したものにすることができる。
【００７１】
以上、本発明の一実施例について説明したが、本発明は上記実施例に限定されるものではなく、種々の態様を採ることができる。
例えば、本実施形態の搬送波抽出部７７ａでは、映像ＩＦ信号を２段に直列接続されたリミットアンプ９４を用いて搬送波成分の抽出を行なったが、特にこのように構成する必要はなく、例えば、１段のみのリミットアンプ９４を用いてもよいし、３段以上（好ましくは偶数段）直列に接続されたリミットアンプ９４を用いてもよい。
【図面の簡単な説明】
【００７２】
【図１】テレビ放送受信システム全体の構成を示す概略構成図である。
【図２】オフセットビートキャンセラの構成を示す説明図である。
【図３】直交検波部の構成を示す説明図である。
【図４】デジタル処理部の構成を示す説明図である。
【図５】搬送波抽出部をより詳細に示す説明図である。
【図６】搬送波抽出部に入出力される信号を模式的に示す説明図である。
【図７】搬送波抽出部から出力される信号の周波数分布を示す説明図である。
【図８】実験結果を示すグラフである。
【符号の説明】
【００７３】
２０…オフセットビートキャンセラ、３０…ＵＨＦ選局部、３２…直交検波部、３４…デジタル処理部、３６…ＵＨＦ変調部、７５…ミキサ、７６…ミキサ、７７ａ…搬送波抽出部、７７ｂ…位相同期部、９１…増幅回路、９２ａ、ｂ…ダイオード、９３…コンデンサ、９４…リミットアンプ、９５…出力経路。
【図１】
2005229286.tif 000003
【図２】
2005229286.tif 000004
【図３】
2005229286.tif 000005
【図４】
2005229286.tif 000006
【図５】
2005229286.tif 000007
【図６】
2005229286.tif 000008
【図７】
2005229286.tif 000009
【図８】
2005229286.tif 000010